(57)【特許請求の範囲】
【請求項１】
１つ以上のクライアント側パーソナルコンピュータと、前記各クライアント側パーソナルコンピュータの表示装置の色校正を行う色校正装置とが、ネットワークを介して接続されるシステム、あるいは、１つ以上のクライアント側パーソナルコンピュータと、前記各クライアント側パーソナルコンピュータが使用する１つ以上の出力機器または１つ以上の入力機器と、前記１つ以上の出力機器または前記１つ以上の入力機器の色校正を行う色校正装置とが、ネットワークを介して接続されるシステムにおける色校正装置であって、
基準色データを蓄積する基準色データ蓄積手段と、
前記基準色データ蓄積手段に蓄積されている基準色データを、前記各クライアント側パーソナルコンピュータに送信する形式に変換する基準色データ変換手段と、
前記各クライアント側パーソナルコンピュータで測色を行って得られた前記各入力機器の測色データ、あるいは、前記基準色データ変換手段により変換された形式の基準色データを用いて測色された前記各クライアント側パーソナルコンピュータの表示装置または前記各出力機器の測色データを受信して色校正処理を行う形式に変換する測色データ変換手段と、
前記測色データ変換手段で変換された測色データを用いて、前記各入力機器、前記各クライアント側パーソナルコンピュータの表示装置、あるいは前記各出力機器のデバイス特性を作成するデバイス特性作成手段と、
前記デバイス特性作成手段で作成されたデバイス特性を用いて、前記各入力機器、前記各クライアント側パーソナルコンピュータの表示装置、あるいは前記各出力機器の変換テーブルを作成する変換テーブル作成手段とを具備することを特徴とする色校正装置。
【請求項２】
１つ以上のクライアント側パーソナルコンピュータと、前記各クライアント側パーソナルコンピュータの表示装置の色校正を行う色校正装置とが、ネットワークを介して接続されるシステム、あるいは、１つ以上のクライアント側パーソナルコンピュータと、前記各クライアント側パーソナルコンピュータが使用する１つ以上の出力機器または１つ以上の入力機器と、前記１つ以上の出力機器または前記１つ以上の入力機器の色校正を行う色校正装置とが、ネットワークを介して接続されるシステムにおける色校正装置であって、
基準色データを蓄積する基準色データ蓄積手段と、
前記基準色データ蓄積手段に蓄積されている基準色データを、前記各クライアント側パーソナルコンピュータに送信する形式に変換する基準色データ変換手段と、
前記各クライアント側パーソナルコンピュータで測色を行って得られた前記各入力機器の測色データ、あるいは、前記基準色データ変換手段により変換された形式の基準色データを用いて測色された前記各クライアント側パーソナルコンピュータの表示装置または前記各出力機器の測色データを受信して色校正処理を行う形式に変換する測色データ変換手段と、
前記測色データ変換手段で変換された測色データを用いて、前記各入力機器、前記各クライアント側パーソナルコンピュータの表示装置、あるいは前記各出力機器のデバイス特性を作成するデバイス特性作成手段と、
前記デバイス特性作成手段で作成されたデバイス特性を記憶するデバイス特性蓄積手段と、
前記デバイス特性蓄積手段に記憶されたデバイス特性を用いて、前記各入力機器、前記各クライアント側パーソナルコンピュータの表示装置、あるいは前記各出力機器の変換テーブルを作成する変換テーブル作成手段とを具備することを特徴とする色校正装置。
【請求項３】
１つ以上のクライアント側パーソナルコンピュータと、前記各クライアント側パーソナルコンピュータの表示装置の色校正を行う色校正装置とが、ネットワークを介して接続されるシステム、あるいは、１つ以上のクライアント側パーソナルコンピュータと、前記各クライアント側パーソナルコンピュータが使用する１つ以上の出力機器または１つ以上の入力機器と、前記１つ以上の出力機器または前記１つ以上の入力機器の色校正を行う色校正装置とが、ネットワークを介して接続されるシステムにおける色校正装置であって、
基準色データを蓄積する基準色データ蓄積手段と、
前記基準色データ蓄積手段に蓄積されている基準色データを、前記各クライアント側パーソナルコンピュータに送信する形式に変換する基準色データ変換手段と、
前記各クライアント側パーソナルコンピュータで測色を行って得られた前記各入力機器の測色データ、あるいは、前記基準色データ変換手段により変換された形式の基準色データを用いて測色された前記各クライアント側パーソナルコンピュータの表示装置または前記各出力機器の測色データを受信して色校正処理を行う形式に変換する測色データ変換手段と、
前記測色データ変換手段で変換された測色データを用いて、前記各入力機器、前記各クライアント側パーソナルコンピュータの表示装置、あるいは前記各出力機器のデバイス特性を作成するデバイス特性作成手段と、
前記デバイス特性作成手段で作成されたデバイス特性を記憶するデバイス特性蓄積手段と、
前記デバイス特性蓄積手段に記憶された２つ以上のデバイス特性を用いて、前記各入力機器、前記各クライアント側パーソナルコンピュータの表示装置、あるいは前記各出力機器のデバイス特性合成変換テーブルを作成するデバイス特性合成変換テーブル作成手段とを具備することを特徴とする色校正装置。
【請求項４】
１つ以上のクライアント側パーソナルコンピュータと、前記各クライアント側パーソナルコンピュータの表示装置の色校正を行う色校正装置とが、ネットワークを介して接続されるシステム、あるいは、１つ以上のクライアント側パーソナルコンピュータと、前記各クライアント側パーソナルコンピュータが使用する１つ以上の出力機器と、前記１つ以上の出力機器の色校正を行う色校正装置とが、ネットワークを介して接続されるシステムにおける色校正装置の色校正方法であって、
前記各クライアント側パーソナルコンピュータからの要求に応じて、前記色校正装置の内部に蓄積されている基準色データを、前記各クライアント側パーソナルコンピュータに送信する第１のステップと、
前記第１のステップで送信された基準色データを用いて、前記各クライアント側パーソナルコンピュータの表示装置に表示された基準色データ、あるいは、前記各出力機器に出力された基準色データの測色データを受信して、内部処理形式に変換する第２のステップと、
前記第２のステップで受信され、さらに内部処理形式に変換された測色データと、前記色校正装置の内部に蓄積されている基準色データとに基づき、前記測色データと基準色データとの関数として、前記各クライアント側パーソナルコンピュータの表示装置、あるいは、前記各出力機器のデバイス特性を作成する第３のステップと、
前記第３のステップで作成されたデバイス特性に基づき、前記各クライアント側パーソナルコンピュータの表示装置に実際に表示する色データ、あるいは、前記各出力機器に実際に出力する色データを、前記各クライアント側パーソナルコンピュータが作成するための変換テーブルを作成する第４のステップと、
前記第４のステップで作成された変換テーブルを、前記各クライアント側パーソナルコンピュータに送信する第５のステップとを具備することを特徴とする色校正方法。
【請求項５】
１つ以上のクライアント側パーソナルコンピュータと、前記各クライアント側パーソナルコンピュータが使用する１つ以上の入力機器と、前記１つ以上の入力機器の色校正を行う色校正装置とが、ネットワークを介して接続されるシステムにおける色校正装置の色校正方法であって、
前記各クライアント側パーソナルコンピュータからの指示に基づき、前記色校正装置の内部に蓄積されている１つ以上の色票の基準色データの中から、前記各入力機器から入力させる色票の基準色データを選択する第１のステップと、
前記各入力機器から入力させた色票の測色データを受信して、内部処理形式に変換する第２のステップと、
前記第２のステップで受信され、さらに内部処理形式に変換された測色データと、前記第１のステップで選択された色票の基準色データとに基づき、前記測色データと色票の基準色データとの関数として、前記各入力機器のデバイス特性を作成する第３のステップと、
前記第３のステップで作成されたデバイス特性に基づき、前記各入力機器から実際に入力される色データを、前記各クライアント側パーソナルコンピュータが作成するための変換テーブルを作成する第４のステップと、
前記第４のステップで作成された変換テーブルを、前記各クライアント側パーソナルコンピュータに送信する第５のステップとを具備することを特徴とする色校正方法。
【請求項６】
前記第３のステップで作成されたデバイス特性を、前記色校正装置の内部に記憶する第６のステップを、さらに具備することを特徴とする請求項４または請求項５に記載の色校正方法。
【請求項７】
１つ以上のクライアント側パーソナルコンピュータと、前記各クライアント側パーソナルコンピュータの表示装置の色校正を行う色校正装置とが、ネットワークを介して接続されるシステム、１つ以上のクライアント側パーソナルコンピュータと、前記各クライアント側パーソナルコンピュータが使用する１つ以上の出力機器または１つ以上の入力機器と、前記１つ以上の出力機器または１つ以上の入力機器の色校正を行う色校正装置とが、ネットワークを介して接続されるシステム、あるいは、１つ以上のクライアント側パーソナルコンピュータと、前記各クライアント側パーソナルコンピュータが使用する１つ以上の出力機器および１つ以上の入力機器と、前記１つ以上の出力機器および１つ以上の入力機器の色校正を行う色校正装置とが、ネットワークを介して接続されるシステムにおける色校正装置の色校正方法であって、
前記各クライアント側パーソナルコンピュータからの指示に基づき、前記色校正装置の内部に蓄積されている１つ以上のデバイス特性の中から、１つ以上のデバイス特性を選択する第１のステップと、
前記第１のステップで選択されたデバイス特性が１つか、あるいは２つ以上かを判定する第２のステップと、
前記第２のステップでの判定結果により、選択されたデバイス特性が１つの場合に、前記選択されたデバイス特性に基づき、前記各クライアント側パーソナルコンピュータの表示装置に実際に表示する色データ、前記各出力機器に実際に出力する色データ、あるいは、前記各入力機器から実際に入力される色データを、前記各クライアント側パーソナルコンピュータが作成するための変換テーブルを作成する第３のステップと、
前記第２のステップでの判定結果により、選択されたデバイス特性が２つ以上の場合に、前記選択された２つ以上のデバイス特性に基づき、前記各クライアント側パーソナルコンピュータの表示装置に実際に表示する色、前記各出力機器に実際に出力する色、あるいは、前記各入力機器から実際に入力される色の少なくとも２つが同じ色に見えるように、前記各クライアント側パーソナルコンピュータの表示装置に実際に表示する色データ、前記各出力機器に実際に出力する色データ、あるいは、前記各入力機器から実際に入力される色データを、前記各クライアント側パーソナルコンピュータが作成するためのデバイス特性合成変換テーブルを作成する第４のステップと、
前記第３のステップで作成された変換テーブル、あるいは前記第４のステップで作成されたデバイス特性合成変換テーブルを、前記各クライアント側パーソナルコンピュータに送信する第５のステップとを具備することを特徴とする色校正方法。
【請求項８】
１つ以上のクライアント側パーソナルコンピュータと、前記各クライアント側パーソナルコンピュータの表示装置の色校正を行う色校正装置とが、ネットワークを介して接続されるシステム、あるいは、１つ以上のクライアント側パーソナルコンピュータと、前記各クライアント側パーソナルコンピュータが使用する１つ以上の出力機器と、前記１つ以上の出力機器の色校正を行う色校正装置とが、ネットワークを介して接続されるシステムにおける色校正装置として使用されるコンピュータに色校正方法を実行させる色校正プログラムを記録した記録媒体であって、
前記プログラムは、コンピュータに、前記各クライアント側パーソナルコンピュータからの要求に応じて、蓄積手段に蓄積されている基準色データを、前記各クライアント側パーソナルコンピュータに送信させ、
前記送信させた基準色データを用いて、前記各クライアント側パーソナルコンピュータの表示装置に表示された基準色データ、あるいは、前記各出力機器に出力された基準色データの測色データを受信して、内部処理形式に変換させ、
前記受信させ、さらに内部処理形式に変換させた測色データと、前記蓄積手段に蓄積されている基準色データとに基づき、前記測色データと基準色データとの関数として、前記各クライアント側パーソナルコンピュータの表示装置、あるいは、前記各出力機器のデバイス特性を作成させ、
前記作成させたデバイス特性に基づき、前記各クライアント側パーソナルコンピュータの表示装置に実際に表示する色データ、あるいは、前記各出力機器に実際に出力する色データを、前記各クライアント側パーソナルコンピュータが作成するための変換テーブルを作成させ、
前記作成させた変換テーブルを、前記各クライアント側パーソナルコンピュータに送信させることを特徴とする色校正プログラムを記録した記録媒体。
【請求項９】
１つ以上のクライアント側パーソナルコンピュータと、前記各クライアント側パーソナルコンピュータが使用する１つ以上の入力機器と、前記１つ以上の入力機器の色校正を行う色校正装置とが、ネットワークを介して接続されるシステムにおける色校正装置として使用されるコンピュータに色校正方法を実行させる色校正プログラムを記録した記録媒体であって、
前記プログラムは、コンピュータに、前記各クライアント側パーソナルコンピュータからの指示に基づき、蓄積手段に蓄積されている１つ以上の色票の基準色データの中から、前記各入力機器から入力させる色票の基準色データを選択させ、
前記各入力機器から入力させた色票の測色データを受信して、内部処理形式に変換させ、
前記受信させ、さらに内部処理形式に変換された測色データと、前記選択された色票の基準色データとに基づき、前記測色データと色票の基準色データとの関数として、前記各入力機器のデバイス特性を作成させ、
前記作成させたデバイス特性に基づき、前記各入力機器から実際に入力される色データを、前記各クライアント側パーソナルコンピュータが作成するための変換テーブルを作成させ、
前記作成させた変換テーブルを、前記各クライアント側パーソナルコンピュータに送信させることを特徴とする色校正プログラムを記録した記録媒体。
【請求項１０】
前記色校正プログラムは、さらに、コンピュータに、前記作成させたデバイス特性を、前記蓄積手段に記憶させることを特徴とする請求項８または請求項９に記載の色校正プログラムを記録した記録媒体。
【請求項１１】
１つ以上のクライアント側パーソナルコンピュータと、前記各クライアント側パーソナルコンピュータの表示装置の色校正を行う色校正装置とが、ネットワークを介して接続されるシステム、１つ以上のクライアント側パーソナルコンピュータと、前記各クライアント側パーソナルコンピュータが使用する１つ以上の出力機器または１つ以上の入力機器と、前記１つ以上の出力機器または１つ以上の入力機器の色校正を行う色校正装置とが、ネットワークを介して接続されるシステム、あるいは、１つ以上のクライアント側パーソナルコンピュータと、前記各クライアント側パーソナルコンピュータが使用する１つ以上の出力機器および１つ以上の入力機器と、前記１つ以上の出力機器および１つ以上の入力機器の色校正を行う色校正装置とが、ネットワークを介して接続されるシステムにおける色校正装置として使用されるコンピュータに色校正方法を実行させる色校正プログラムを記録した記録媒体であって、
前記プログラムは、コンピュータに、前記各クライアント側パーソナルコンピュータからの指示に基づき、蓄積手段に蓄積されている１つ以上のデバイス特性の中から、１つ以上のデバイス特性を選択させ、
前記選択させたデバイス特性が１つか、あるいは２つ以上かを判定させ、
前記判定結果により、選択させたデバイス特性が１つの場合に、前記選択させたデバイス特性に基づき、前記各クライアント側パーソナルコンピュータの表示装置に実際に表示する色データ、前記各出力機器に実際に出力する色データ、あるいは、前記各入力機器から実際に入力される色データを、前記各クライアント側パーソナルコンピュータが作成するための変換テーブルを作成させ、
前記判定結果により、選択させたデバイス特性が２つ以上の場合に、前記選択させた２つ以上のデバイス特性に基づき、前記各クライアント側パーソナルコンピュータの表示装置に実際に表示する色、前記各出力機器に実際に出力する色、あるいは、前記各入力機器から実際に入力される色の少なくとも２つが同じ色に見えるように、前記各クライアント側パーソナルコンピュータの表示装置に実際に表示する色データ、前記各出力機器に実際に出力する色データ、あるいは、前記各入力機器から実際に入力される色データを、前記各クライアント側パーソナルコンピュータが作成するためのデバイス特性合成変換テーブルを作成させ、
前記作成させた変換テーブル、あるいはデバイス特性合成変換テーブルを、前記各クライアント側パーソナルコンピュータに送信させることを特徴とする色校正プログラムを記録した記録媒体。
【発明の詳細な説明】
【０００１】
【発明の属する技術分野】
本発明は、色校正装置、色校正方法、および色校正プログラムを記録した記録媒体に係わり、特に、１つ以上のクライアント側パーソナルコンピュータと、前記各クライアント側パーソナルコンピュータが使用する１つ以上の出力機器または１つ以上の入力機器と、各クライアント側パーソナルコンピュータの表示装置、各出力機器、あるいは各入力機器の色校正を行う色校正装置とが、ネットワークを介して接続されるシステムに適用して有効な技術に関する。
【０００２】
【従来の技術】
コンピュータの発展に伴い、カラー画像がデータの一部として取り扱われるようになり、スキャナーあるいはデジタルカメラで撮影された画像データを、ディスプレイに表示、あるいはプリンタに出力できるコンピュータシステムが知られている。
このようなシステムにおいて、例えば、ディスプレイとプリンタというように２種類以上の装置を同時に扱って作業をする場合など、それぞれの装置の色再現範囲の違いから高彩度の色に不一致が見られることがある。
通常、プリンタよりもディスプレイの方が色再現範囲が遥かに広いため、ディスプレイのイメージと実際にプリントアウトしたイメージが全く合わないことが多い。
【０００３】
このように、従来のコンピュータシステムにおいては、ＣＲＴ等のディスプレイに表示される色と、プリンタに出力した色が合わないという問題があった。
また、同じ機種の出力装置であっても、個々に特性が異なることにより、各出力装置に同一の画像を出力しても、色が合わないという問題もあった。
さらに、カメラやスキャナで入力した画像を、ディスプレイやプリンタヘ出力した場合に、原画と異なる色に表示、出力されてしまうという問題もあった。
そのため、前記したコンピュータシステムにおいては、ディスプレイ、あるいはプリンタ等の出力装置の色校正を行う必要があった。
【０００４】
【発明が解決しようとする課題】
従来、前記したディスプレイ、あるいはプリンタ等の出力装置の色校正は、個々のシステムで閉じた形で行っていたが、この方法では、専門的知識が必要であり、非常に難しく、素人では手に負えないという問題点があった。
【０００５】
本発明は、前記従来技術の問題点を解決するためになされたものであり、本発明の目的は、色校正装置および色校正方法において、色校正を行う装置をサーバ装置として実現し、誰でも決められた手順に従って色校正を簡単に行うことが可能となる技術を提供することにある。
【０００６】
また、本発明の他の目的は、前記色校正方法を、サーバ装置として使用されるコンピュータに実行させるための色校正プログラムを記録した記録媒体を提供することにある。
【０００７】
本発明の前記ならびにその他の目的と新規な特徴は、本明細書の記述及び添付図面によって明らかにする。
【０００８】
【課題を解決するための手段】
本願において開示される発明のうち、代表的なものの概要を簡単に説明すれば、下記の通りである。
【０００９】
即ち、本発明は、１つ以上のクライアント側パーソナルコンピュータと、前記各クライアント側パーソナルコンピュータの表示装置の色校正を行う色校正装置とが、ネットワークを介して接続されるシステム、あるいは、１つ以上のクライアント側パーソナルコンピュータと、前記各クライアント側パーソナルコンピュータが使用する１つ以上の出力機器と、前記１つ以上の出力機器の色校正を行う色校正装置とが、ネットワークを介して接続されるシステムにおいて、前記各クライアント側パーソナルコンピュータからの要求に応じて、前記色校正装置の内部に蓄積されている基準色データを、前記各クライアント側パーソナルコンピュータに送信し、前記送信された基準色データを用いて、前記各クライアント側パーソナルコンピュータの表示装置に表示された基準色データ、あるいは、前記各出力機器に出力された基準色データの測色データを受信して、内部処理形式に変換し、前記受信され、さらに内部処理形式に変換された測色データと、前記色校正装置の内部に蓄積されている基準色データとに基づき、前記測色データと基準色データとの関数として、前記各クライアント側パーソナルコンピュータの表示装置、あるいは、前記各出力機器のデバイス特性を作成し、前記作成されたデバイス特性に基づき、前記各クライアント側パーソナルコンピュータの表示装置に実際に表示する色データ、あるいは、前記各出力機器に実際に出力する色データを、前記各クライアント側パーソナルコンピュータが作成するための変換テーブルを作成し、前記作成された変換テーブルを、前記各クライアント側パーソナルコンピュータに送信することを特徴とする。
【００１０】
また、本発明は、１つ以上のクライアント側パーソナルコンピュータと、前記各クライアント側パーソナルコンピュータが使用する１つ以上の入力機器と、前記１つ以上の入力機器の色校正を行う色校正装置とが、ネットワークを介して接続されるシステムにおいて、前記各クライアント側パーソナルコンピュータからの指示に基づき、前記色校正装置の内部に蓄積されている１つ以上の色票の基準色データの中から、前記各入力機器から入力させる色票の基準色データを選択し、前記各入力機器から入力させた色票の測色データを受信して、内部処理形式に変換し、前記受信され、さらに内部処理形式に変換された測色データと、前記選択された色票の基準色データとに基づき、前記測色データと色票の基準色データとの関数として、前記各入力機器のデバイス特性を作成し、前記作成されたデバイス特性に基づき、前記各入力機器から実際に入力される色データを、前記各クライアント側パーソナルコンピュータが作成するための変換テーブルを作成し、前記作成された変換テーブルを、前記各クライアント側パーソナルコンピュータに送信することを特徴とする。
【００１１】
また、本発明は、前記作成されたデバイス特性を、前記色校正装置の内部に記憶することを特徴とする。
【００１２】
また、本発明は、１つ以上のクライアント側パーソナルコンピュータと、前記各クライアント側パーソナルコンピュータの表示装置の色校正を行う色校正装置とが、ネットワークを介して接続されるシステム、１つ以上のクライアント側パーソナルコンピュータと、前記各クライアント側パーソナルコンピュータが使用する１つ以上の出力機器または１つ以上の入力機器と、前記１つ以上の出力機器または１つ以上の入力機器の色校正を行う色校正装置とが、ネットワークを介して接続されるシステム、あるいは、１つ以上のクライアント側パーソナルコンピュータと、前記各クライアント側パーソナルコンピュータが使用する１つ以上の出力機器および１つ以上の入力機器と、前記１つ以上の出力機器および１つ以上の入力機器の色校正を行う色校正装置とが、ネットワークを介して接続されるシステムにおいて、前記各クライアント側パーソナルコンピュータからの指示に基づき、前記色校正装置の内部に蓄積されている１つ以上のデバイス特性の中から、１つ以上のデバイス特性を選択し、前記選択されたデバイス特性が１つか、あるいは２つ以上かを判定し、前記判定結果により、選択されたデバイス特性が１つの場合に、前記選択されたデバイス特性に基づき、前記各クライアント側パーソナルコンピュータの表示装置に実際に表示する色データ、前記各出力機器に実際に出力する色データ、あるいは、前記各入力機器から実際に入力される色データを、前記各クライアント側パーソナルコンピュータが作成するための変換テーブルを作成し、前記判定結果により、選択されたデバイス特性が２つ以上の場合に、前記選択された２つ以上のデバイス特性に基づき、前記各クライアント側パーソナルコンピュータの表示装置に実際に表示する色、前記各出力機器に実際に出力する色、あるいは、前記各入力機器から実際に入力される色の少なくとも２つが同じ色に見えるように、前記各クライアント側パーソナルコンピュータの表示装置に実際に表示する色データ、前記各出力機器に実際に出力する色データ、あるいは、前記各入力機器から実際に入力される色データを、前記各クライアント側パーソナルコンピュータが作成するためのデバイス特性合成変換テーブルを作成し、前記作成された変換テーブル、あるいはデバイス特性合成変換テーブルを、前記各クライアント側パーソナルコンピュータに送信することを特徴とする。
【００１３】
【発明の実施の形態】
以下、図面を参照して本発明の実施の形態を詳細に説明する。
【００１４】
なお、実施の形態を説明するための全図において、同一機能を有するものは同一符号を付け、その繰り返しの説明は省略する。
【００１５】
図１は、本発明の実施の形態の色校正装置が適用されるシステムの一例の概略構成を示すブロック図である。
同図において、１０は本実施の形態の色校正装置、２０ａ，２０ｂはプリンタ、３０はスキャナー、４０ａ〜４０ｎはパーソナルコンピュータ（以下、ＰＣと称する。）、５０はＬＡＮ（あるいはＷＡＮ）である。
図１に示すシステム構成において、色校正装置１０とＰＣ（４０ａ〜４０ｎ）とで、クライアント・サーバシステムを構成する。
【００１６】
図２は、本実施の形態の色校正装置１０の概略内部構成を示すブロック図である。
同図に示す基準色データ蓄積手段１１には、前記各クライアントＰＣ（４０ａ〜４０ｎ）のＣＲＴ，液晶表示装置等のディスプレイ、あるいは、プリンタ（２０ａ，２０ｂ）のデバイス特性を取得するために必要な基準色データが蓄積される。
この基準色データ蓄積手段１１に蓄積される基準色データは、ＲＧＢ対応の数値情報、あるいは、色票の色に対応する数値情報である。
基準色データ変換手段１２は、前記各クライアントＰＣ（４０ａ〜４０ｎ）の要求に応じて、デバイス特性を取得するために必要な基準色データを、基準色データ蓄積手段１１から取得し、当該基準色データを、前記各クライアントＰＣ（４０ａ〜４０ｎ）にＬＡＮ（あるいはＷＡＮ）５０を経由して送信するための所定の信号形式に変換する。
この基準色データ変換手段１２で、所定の信号形式に変換された基準色データは、ネットワークインタフェース部１３、ＬＡＮ（あるいはＷＡＮ）５０を介して、前記各クライアントＰＣ（４０ａ〜４０ｎ）に送信される。
【００１７】
各クライアントＰＣ（４０ａ〜４０ｎ）では、受け取った基準色データを用いて、ＣＲＴ、液晶表示装置等のディスプレイに基準色を表示し、あるいは、プリンタ（２０ａ，２０ｂ）から基準色を出力する。
各クライアントＰＣ（４０ａ〜４０ｎ）を操作するユーザは、ＣＲＴ，液晶表示装置等のディスプレイに表示された基準色、あるいは、プリンタ（２０ａ，２０ｂ）に出力された基準色を、測色器等を用いて測色する。なお、測色器等を用いて測色する代わりに、色票とマッチングしてもよい。
当該測定された測色データは、ＬＡＮ（あるいはＷＡＮ）５０を経由して送信するための所定の信号形式に変換され、各クライアントＰＣ（４０ａ〜４０ｎ）から色校正装置１０に送信される。
【００１８】
測色データ変換手段１４は、ネットワークインタフェース部１３を介して受信した各クライアントＰＣ（４０ａ〜４０ｎ）からの所定の信号形式の測色データを、色校正装置１０内で色校正処理するための測色データに変換する。
デバイス特性作成手段１５は、基準色データ蓄積手段１１に蓄積されている基準色データと、測色データ変換手段１４からの測色データとから、各クライアントＰＣ（４０ａ〜４０ｎ）のディスプレイに表示された基準色の色データ、あるいは、プリンタ（２０ａ，２０ｂ）に出力された基準色の色データと、基準色データとの関数を表すデバイス特性を作成する。
前記デバイス特性作成手段１５で作成されたデバイス特性は、デバイス特性蓄積手段１６に蓄積され保存される。
【００１９】
変換テーブル作成手段１８は、デバイス特性作成手段１５により作成されたデバイス特性、あるいは、デバイス特性蓄積手段１６に蓄積されているデバイス特性に基づき、各クライアントＰＣ（４０ａ〜４０ｎ）のディスプレイに実際に表示する色データ、あるいはプリンタ（２０ａ，２０ｂ）に実際に出力する色データを、各クライアントＰＣ（４０ａ〜４０ｎ）が作成するための変換テーブルを作成する。
デバイス特性合成変換テーブル作成手段１７は、デバイス特性蓄積手段１６に蓄積されている２つ以上のデバイス特性を合成して、新たなデバイス特性を作成し、この新たなデバイス特性に基づき、各クライアントＰＣ（４０ａ〜４０ｎ）のディスプレイに表示する色、あるいはプリンタ（２０ａ，２０ｂ）に出力する色がユーザが見て同じ色に見えるように、各クライアントＰＣ（４０ａ〜４０ｎ）のディスプレイに実際に表示する色データ、あるいはプリンタ（２０ａ，２０ｂ）に実際に出力する色データを、各クライアントＰＣ（４０ａ〜４０ｎ）が作成するためのデバイス特性合成変換テーブルを作成する。
このデバイス特性合成変換テーブル作成手段１７は、例えば、各クライアントＰＣ（４０ａ〜４０ｎ）において、複数の出力装置を用いて、そのいずれの装置においてもユーザから見える色が同じ色として見えるように色校正をしたい場合に必要となる。
【００２０】
変換テーブル作成手段１８により作成された変換テーブル、あるいはデバイス特性合成変換テーブル作成手段１７により作成されたデバイス特性合成変換テーブルは、ネットワークインタフェース部１３、ＬＡＮ（あるいはＷＡＮ）５０を介して、各クライアントＰＣ（４０ａ〜４０ｎ）に送信される。
これにより、クライアントＰＣ（４０ａ〜４０ｎ）は、色校正装置１０より送られてきた変換テーブルを用いて、各クライアントＰＣ（４０ａ〜４０ｎ）のディスプレイ、あるいはプリンタ（２０ａ，２０ｂ）に色を出力することで、色校正された出力が可能となる。
【００２１】
以下、基準色データ蓄積手段１１に蓄積される基準色データが、図３に示すＲＧＢ対応の数値情報の場合を例に挙げて、本実施の形態の色校正方法の具体例を説明する。
【００２２】
各クライアントＰＣ（４０ａ〜４０ｎ）では、受け取った基準色データを用いて、図４（ａ）に示すように、ＣＲＴ，液晶表示装置等のディスプレイに基準色を表示し、あるいは、図４（ｂ）に示すように、プリンタ（２０ａ，２０ｂ）から基準色を出力する。
【００２３】
なお、図４（ａ）は、ＣＲＴに表示された基準色の様子を示し、同図において、４１はＣＲＴ、４２は短冊状に表示された基準色を示す。
また、図４（ｂ）は、プリンタ（２０ａ，２０ｂ）から出力された基準色の様子を示し、同図において、４３はプリンタ（２０ａ，２０ｂ）から出力されたプリント用紙、４４はプリント用紙４３に格子状に印刷された基準色を示す。
【００２４】
各クライアントＰＣ（４０ａ〜４０ｎ）から色校正装置１０に送信される測色データは、三刺激値（Ｘ，Ｙ，Ｚ）である場合が多い。
例えば、基準色データ蓄積手段１１に蓄積される基準色データが、ＲＧＢ対応の数値情報である場合に、デバイス特性作成手段１５は、各クライアントＰＣ（４０ａ〜４０ｎ）からの三刺激値（Ｘ，Ｙ，Ｚ）と、基準色データ（Ｒ，Ｇ，Ｂ）との対応付けを行う。
【００２５】
即ち、デバイス特性作成手段１５は、下記（１）式における（γR，γG，γB，ａi,j）を演算する。
【００２６】
【数１】
0004002006.tif 000002
【００２７】
なお、前記（１）式の演算の代わりに、図５に示すニューラル・ネットワークを用いて、各クライアントＰＣ（４０ａ〜４０ｎ）からの三刺激値（Ｘ，Ｙ，Ｚ）と、基準色データ（Ｒ，Ｇ，Ｂ）との対応付けを行うようにしてもよい。
なお、図５において、（Ｒi ，Ｇi ，Ｂi ）は入力層のｉ番目の基準色データ、（Ｘi ，Ｙi ，Ｚi ）は出力層のｉ番目の三刺激値を表し、（Ｕ1 ，Ｕ2 ，・・，Ｕn ）は中間層を表す。
ここで、（Ｕ1 ，Ｕ2 ，・・，Ｕn ），Ｘi ，Ｙi ，Ｚi は、下記（２）式で表される。
【００２８】
【数２】
0004002006.tif 000003
【００２９】
ここで、ｒi ，ｇi ，ｂi ，μx(i,j)，μy(i,j)，μz(i,j)は、重み係数である。
このニューラル・ネットワークを用いる方法では、始めに、任意の重み係数で、基準色データ（Ｒ，Ｇ，Ｂ）から三刺激値（Ｘ，Ｙ，Ｚ）を求め、実際の三刺激値（Ｘ，Ｙ，Ｚ）に近くなるように、重み係数を補正する。
この操作を、データセット全てに対して行い、且つ何回も同一のデータを入力して、求められた三刺激値（Ｘ，Ｙ，Ｚ）が実際の三刺激値（Ｘ，Ｙ，Ｚ）に近くなるまで繰り返すことにより、各クライアントＰＣ（４０ａ〜４０ｎ）からの三刺激値（Ｘ，Ｙ，Ｚ）と、基準色データ（Ｒ，Ｇ，Ｂ）との対応付けを行う。なお、図５では、中間層が１つの場合について説明したが、複数の中間層を設けることも可能である。
【００３０】
前記デバイス特性蓄積手段１６には、前記（１）式における（γR，γG，γB，ａi,j）、あるいは、ニューラル・ネットワークを用いる方法では、中間層の数、前記（２）式における重み係数（μx(i,j)，μy(i,j)，μz(i,j)）が蓄積される。
前記変換テーブル作成手段１８では、デバイス特性作成手段１５により作成されたデバイス特性、あるいは、デバイス特性蓄積手段１６に蓄積されているデバイス特性に基づき、例えば、図６に示すように、（Ｒ，Ｇ，Ｂ）対応の数値情報と、当該数値情報により各クライアントＰＣ（４０ａ〜４０ｎ）のディスプレイに表示される色、あるいは、プリンタ（２０ａ，２０ｂ）に出力される色の三刺激値（Ｘ，Ｙ，Ｚ）とを対応付けた変換テーブルを作成する。
この変換テーブルを用いることにより、各クライアントＰＣ（４０ａ〜４０ｎ）では、各クライアントＰＣ（４０ａ〜４０ｎ）のディスプレイに色校正されたカラー画像を表示、あるいはプリンタ（２０ａ，２０ｂ）に色校正されたカラー画像を出力することができる。
前記デバイス特性合成変換テーブル作成手段１７では、各クライアントＰＣ（４０ａ〜４０ｎ）のＣＲＴとプリンタ（２０ａ，２０ｂ）等、２つ以上のデバイス特性を合成したデバイス特性合成変換テーブルを作成する。
例えば、各クライアントＰＣ（４０ａ〜４０ｎ）のＣＲＴとプリンタ（２０ａ，２０ｂ）とのデバイス特性を合成する場合には、デバイス特性蓄積手段１６に蓄積されているデバイス特性に基づき、図７（ａ）に示すＣＲＴの変換テーブルと、図７（ｂ）に示すプリンタ（２０ａ，２０ｂ）の変換テーブルを作成する。
次に、ＣＲＴで見えている色と、プリンタ（２０ａ，２０ｂ）に出力される色とを合わせるために、ＣＲＴのＲＧＢ対応の数値情報（ＲC ，ＧC ，ＢC ）とプリンタ（２０ａ，２０ｂ）のＲＧＢ対応の数値情報（ＲP ，ＧP ，ＢP ）のデバイス特性合成変換テーブルを作成する。
即ち、図７（ａ）に示す（ＲC ，ＧC ，ＢC ）に対応する（ＸC ，ＹC ，ＺC ）を求め、次に、当該（ＸC ，ＹC ，ＺC ）に対応する図７（ｂ）に示す（ＸP ，ＹP ，ＺP ）を求める。
最後に、当該（ＸP ，ＹP ，ＺP ）に対応する（ＲP ，ＧP ，ＢP ）を求めることで、（ＲC ，ＧC ，ＢC ）から（ＲP ，ＧP ，ＢP ）へのデバイス特性合成変換テーブルを作成することができる。
【００３１】
このデバイス特性合成変換テーブルにより、ＣＲＴへの入力（ＲC ，ＧC ，ＢC ）をプリンタ（２０ａ，２０ｂ）に出力する際に（ＲP ，ＧP ，ＢP ）へ変換して出力することにより、ＣＲＴに表示されるカラー画像と、プリンタ（２０ａ，２０ｂ）に出力するカラー画像の色を一致させることができる。
これにより、各クライアントＰＣ（４０ａ〜４０ｎ）のＣＲＴ等のディスプレイの色再現範囲をプリンタ（２０ａ，２０ｂ）と同じ色再現範囲にすることが可能となり、ディスプレイで見えるイメージ通りの色でプリントアウトをすることができる。
【００３２】
なお、特に、各クライアントＰＣ（４０ａ〜４０ｎ）のＣＲＴとプリンタ（２０ａ，２０ｂ）の組み合わせのように、各デバイス間で色再現範囲（表現可能な色の範囲）が異なる場合には、次のような方法を用いることも可能である。
プリンタの変換テーブルにおいて、（ＲP ，ＧP ，ＢP ）値が増加しても（ＸP ，ＹP ，ＺP ）がほとんど変化しない所を検出する。
【００３３】
例えば、ｊ＝ｋ，・・・，ｎのとき、（ＸP ，ＹP ，ＺP ）がほとんど変化しないとする。
この場合に、プリンタ（２０ａ，２０ｂ）の変換テーブルにおいて、ｊ＜ｋである場合には、前記した（Ｒ，Ｇ，Ｂ）値間のデバイス特性合成変換テーブルを作成し、また、ｊ≧ｋである場合には、プリンタ（２０ａ，２０ｂ）の変換テーブルのｊ＜ｋの中の（Ｘ，Ｙ，Ｚ）値で、最も近い（Ｒ，Ｇ，Ｂ）値を、ＣＲＴの変換テーブルの中の（Ｒ，Ｇ，Ｂ）値と対応付ける。
【００３４】
図８は、図１に示すシステムにおける色校正時の処理の流れを示す図である。
図８に示すように、始めに、クライアントＰＣ（４０ａ〜４０ｎ）が色校正装置１０にアクセスして、基準色データに基づく基準色の表示を要求する（図８のＡ）。
次に、色校正装置１０は、基準色データを、各クライアントＰＣ（４０ａ〜４０ｎ）に送信する（図８のＢ）。
【００３５】
次に、各クライアントＰＣ（４０ａ〜４０ｎ）側では、受信した基準色データを用い、基準色をディスプレイ、プリンタ（２０ａ，２０ｂ）等に出力する。
そして、その出力された色を、各クライアントＰＣ（４０ａ〜４０ｎ）を操作するユーザが色票や測色器等を用いて測色し、その測色により得られた測色データをＬＡＮ（あるいはＷＡＮ）５０等を経由して色校正装置１０に送信する（図８のＣ）。
【００３６】
次に、色校正装置１０は、受信した測色データと、基準色データとから、ユーザが実際に見える色データと基準色データとの関数を表す所望のデバイス特性を作成する。
【００３７】
さらに、色校正装置１０は、作成したデバイス特性を用いて、各クライアントＰＣ（４０ａ〜４０ｎ）のディスプレイに実際に表示する色データ、あるいは、プリンタ（２０ａ，２０ｂ）に実際に出力する色データを、各クライアントＰＣ（４０ａ〜４０ｎ）が作成するための変換テーブルを作成して、その変換テーブルを各クライアントＰＣ（４０ａ〜４０ｎ）に送信する（図８のＤ）。
【００３８】
各クライアントＰＣ（４０ａ〜４０ｎ）は、色校正装置１０より送信されてきた変換テーブルを用いて、各クライアントＰＣ（４０ａ〜４０ｎ）のディスプレイに色校正されたカラー画像を表示、あるいはプリンタ（２０ａ，２０ｂ）に色校正されたカラー画像を出力することができる。
【００３９】
本実施の形態の色校正装置１０において、各クライアントＰＣ（４０ａ〜４０ｎ）に送信される変換テーブルは、デバイス特性作成手段１５により作成されたデバイス特性に基づいて作成された変換テーブル、デバイス特性蓄積手段１６に蓄積されているデバイス特性に基づいて作成された変換テーブル、あるいは、デバイス特性合成変換テーブル作成手段１７により作成されたデバイス特性合成変換テーブルの３つがある。
図９は、各クライアントＰＣ（４０ａ〜４０ｎ）に送信される変換テーブルが、デバイス特性作成手段１５により作成されたデバイス特性に基づいて作成された変換テーブルの場合における、本実施の形態の色校正装置１０の処理手順を示すフローチャートである。
以下、各クライアントＰＣ（４０ａ〜４０ｎ）に送信される変換テーブルが、デバイス特性作成手段１５により作成されたデバイス特性に基づいて作成される場合における、本実施の形態の色校正装置１０の処理手順を説明する。
初めに、ステップ１０１で、各クライアントＰＣ（４０ａ〜４０ｎ）から、基準色データの送信要求があったか否かを判断する。
ステップ１０１で、各クライアントＰＣ（４０ａ〜４０ｎ）から、基準色データの送信要求がない場合には、前記処理を繰り返す。
ステップ１０１で、各クライアントＰＣ（４０ａ〜４０ｎ）から、基準色データの送信要求があった場合には、ステップ１０２で、基準色データ蓄積手段１１に蓄積されている基準色データを、基準色データ変換手段１４を用いて所定の信号形式に変換し、ネットワークインタフェース部１３、ＬＡＮ（あるいはＷＡＮ）５０等を介して、各クライアントＰＣ（４０ａ〜４０ｎ）に、基準色データを送信する。
【００４０】
次に、ステップ１０３で、各クライアントＰＣ（４０ａ〜４０ｎ）から、測色データの送信があったか否かを判断する。
ステップ１０３で、各クライアントＰＣ（４０ａ〜４０ｎ）から、測色データの送信がない場合には、前記処理を繰り返す。
ステップ１０３で、各クライアントＰＣ（４０ａ〜４０ｎ）から、測色データの送信があった場合には、ステップ１０４で、ＬＡＮ（あるいはＷＡＮ）５０、ネットワークインタフェース部１３を介して受信した測色データを、測色データ変換手段１４により色校正装置内部での色校正処理形式のデータに変換する。
次に、ステップ１０５で、ステップ１０４で変換された変換後の測色データと、基準色データ蓄積手段１１に蓄積されている基準色データとから、ユーザが実際に見える色の色データと基準色データとの関数を表す、所望のデバイス特性をデバイス特性作成手段１５により作成する。
【００４１】
次に、ステップ１０６で、ステップ１０５で作成したデバイス特性を、デバイス蓄積手段１６に蓄積すると共に、作成したデバイス特性を用いて変換テーブル作成手段１８により、各クライアントＰＣ（４０ａ〜４０ｎ）のディスプレイに実際に表示する色データ、プリンタ（２０ａ，２０ｂ）に実際に出力する色データを、各クライアントＰＣ（４０ａ〜４０ｎ）が作成するための変換テーブルを作成する。
次に、ステップ１０７で、ステップ１０６で作成した変換テーブルを、ネットワークインタフェース部１３、ＬＡＮ（あるいはＷＡＮ）５０等を介して、各クライアントＰＣ（４０ａ〜４０ｎ）に送信する。
【００４２】
図１０は、各クライアントＰＣ（４０ａ〜４０ｎ）に送信される変換テーブルが、デバイス特性蓄積手段１６に蓄積されているデバイス特性に基づき作成された変換テーブルである場合、あるいは、デバイス特性合成変換テーブル作成手段１７により作成されたデバイス特性合成変換テーブルである場合における、本実施の形態の色校正装置１０の処理手順を示すフローチャートである。
以下、各クライアントＰＣ（４０ａ〜４０ｎ）に送信される変換テーブルが、デバイス特性蓄積手段１６に蓄積されているデバイス特性に基づき作成された変換テーブルである場合、あるいは、デバイス特性合成変換テーブル作成手段１７により作成されたデバイス特性合成変換テーブルである場合における、本実施の形態の色校正装置１０の処理手順を説明する。
初めに、ステップ２０１で、各クライアントＰＣ（４０ａ〜４０ｎ）からデバイス特性蓄積手段１６に蓄積されているデバイス特性を選択する指示があったか否かを判断する。
ステップ２０１で、デバイス特性蓄積手段１６に蓄積されているデバイス特性を選択する指示がない場合には、前記処理を繰り返す。
ステップ２０１で、デバイス特性蓄積手段１６に蓄積されているデバイス特性を選択する指示があった場合には、ステップ２０２で、前記デバイス特性蓄積手段１６に蓄積されているデバイス特性を選択する指示は、１つのデバイス特性か、または２つ以上のデバイス特性かを判断する。
ステップ２０２における、前記デバイス特性蓄積手段１６に蓄積されているデバイス特性を選択する指示が、１つのデバイス特性である場合には、ステップ２０４で、デバイス特性蓄積手段１６に蓄積された１つのデバイス特性を用いて、変換テーブル作成手段１８により、各クライアントＰＣ（４０ａ〜４０ｎ）のディスプレイに実際に表示する色データ、プリンタ（２０ａ，２０ｂ）に実際に出力する色データを、各クライアントＰＣ（４０ａ〜４０ｎ）が作成するための変換テーブルを作成する。
【００４３】
また、ステップ２０２における、前記デバイス特性蓄積手段１６に蓄積されているデバイス特性を選択する指示が、２つ以上のデバイス特性である場合には、ステップ２０３で、デバイス特性合成変換テーブル作成手段１７により、デバイス特性蓄積手段１６に蓄積された２つ以上のデバイス特性を合成して、新たなデバイス特性を作成し、この新たなデバイス特性に基づき、各クライアントＰＣ（４０ａ〜４０ｎ）のディスプレイに表示する色、あるいはプリンタ（２０ａ，２０ｂ）に実際に出力する色が、ユーザが同じ色に見えるように、各クライアントＰＣ（４０ａ〜４０ｎ）のディスプレイに実際に表示する色データ、プリンタ（２０ａ，２０ｂ）に実際に出力する色データを、各クライアントＰＣ（４０ａ〜４０ｎ）が作成するためのデバイス特性合成変換テーブルを作成する。
最後に、ステップ２０５で、作成した変換テーブルを各クライアントＰＣ（４０ａ〜４０ｎ）に送信する。
【００４４】
なお、前記説明においては、色校正の対象となる機器が、各クライアントＰＣ（４０ａ〜４０ｎ）のディスプレイ、プリンタ（２０ａ，２０ｂ）等の出力機器の場合について説明したが、本発明は、色校正の対象となる機器が、図１に示すスキャナー３０、デジタルカメラ等の入力機器の場合にも適用可能である。
【００４５】
図１１は、色校正の対象となる機器が、図１に示すスキャナー３０である場合における、本実施の形態の色校正装置１０の処理手順を示すフローチャートである。
以下、色校正の対象となる機器が、図１に示すスキャナー３０である場合における、本実施の形態の色校正装置１０の処理手順を説明する。
初めに、ステップ３０１で、各クライアントＰＣ（４０ａ〜４０ｎ）から、スキャナー３０から入力させる色票の指示があったか否かを判断する。
ステップ３０１で、各クライアントＰＣ（４０ａ〜４０ｎ）から、スキャナー３０から入力させる色票の指示がない場合には、前記処理を繰り返す。
ステップ３０１で、各クライアントＰＣ（４０ａ〜４０ｎ）から、スキャナー３０から入力させる色票の指示があった場合には、ステップ３０２で、基準色データ蓄積手段１１に蓄積されている色票の基準色データの中から、選択指示のあった基準色データを選択する。
次に、ステップ３０３で、各クライアントＰＣ（４０ａ〜４０ｎ）から、測色データの送信があったか否かを判断する。
ステップ３０３で、各クライアントＰＣ（４０ａ〜４０ｎ）から、測色データの送信がない場合には、前記処理を繰り返す。
ステップ３０３で、各クライアントＰＣ（４０ａ〜４０ｎ）から、測色データの送信があった場合には、ステップ３０４で、ＬＡＮ（あるいはＷＡＮ）５０、ネットワークインタフェース部１３を介して受信した測色データを、測色データ変換手段１４により色校正装置内部での色校正処理形式のデータに変換する。
次に、ステップ３０５で、ステップ３０４で変換された変換後の測色データと、基準色データ蓄積手段１１に蓄積されている基準色データとから、ユーザがスキャナー３０から実際に入力させた色の色データと基準色データとの関数を表す、所望のデバイス特性をデバイス特性作成手段１５により作成する。
【００４６】
次に、ステップ３０６で、ステップ３０５で作成したデバイス特性を、デバイス特性蓄積手段１６に蓄積すると共に、作成したデバイス特性を用いて変換テーブル作成手段１８により、スキャナー３０から実際に入力される色データを、各クライアントＰＣ（４０ａ〜４０ｎ）が作成するための変換テーブルを作成する。
次に、ステップ３０７で、ステップ３０６で作成した変換テーブルを、ネットワークインタフェース部１３、ＬＡＮ（あるいはＷＡＮ）５０等を介して、各クライアントＰＣ（４０ａ〜４０ｎ）に送信する。
【００４７】
このように、色校正の対象となる機器が、図１に示すスキャナー３０等の入力機器である場合には、先ず、色票の基準色データを、予め色票の識別子と関連付けて基準色データ蓄積手段１１に蓄積しておく。
この場合に、色票の基準色データは１以上のデータが蓄積されることになる。その上で、各クライアントＰＣ（４０ａ〜４０ｎ）から色校正装置１０に対して、入力機器の色校正に使用する色票の識別子を指定することで、入力機器から実際に入力された色票の測色データと、基準色データ蓄積手段１１に蓄積されている色票の基準色データとの対応を色校正装置１０が認識することにより、色校正処理が可能となる。
また、この場合の色票データは、各色領域毎に平均（Ｒ，Ｇ，Ｂ）となる。
また、デバイス特性合成変換テーブル作成手段１７では、スキャナー３０と各クライアントＰＣ（４０ａ〜４０ｎ）のＣＲＴ、デジタルカメラと各クライアントＰＣ（４０ａ〜４０ｎ）のＣＲＴ等の２つ以上のデバイス特性を合成したデバイス特性合成変換テーブルを作成することができる。
【００４８】
なお、本実施の形態の色校正装置１０は、図１に示すシステム以外に、例えば、図１２に示すようなシステムにも適用可能である。
図１２は、本実施の形態の色校正装置が適用されるシステムの他の例の概略構成を示すブロック図である。
同図において、５０ａ，５０ｂはＬＡＮ、６０ａ，６０ｂはルータ、７０はネットワークである。
【００４９】
なお、本実施の形態の色校正装置１０においては、基準色データ蓄積手段１１、基準色データ変換手段１２、ネットワークインタフェース部１３、測色データ変換手段１４、デバイス特性作成手段１５、デバイス特性蓄積手段１６、デバイス特性合成変換テーブル作成手段１７、変換テーブル作成手段１８が、それぞれ専用のハードウェアで構成される場合について説明したが、本発明はこれに限定されるものではなく、例えば、コンピュータのソフトウェア処理で実行することも可能である。
この場合に、本実施の形態の色校正方法は、図１３に示す中央処理装置（ＣＰＵ）１１０が、メモリ１２０に読み込まれた色校正プログラム１２１を実行することにより行われる。
また、基準色データ変換手段１２、測色データ変換手段１４、デバイス特性作成手段１５、デバイス特性合成変換テーブル作成手段１７、変換テーブル作成手段１８は、図１３に示すように、中央処理装置（ＣＰＵ）１１０により実現される機能手段となる。
また、基準色データ蓄積手段１１、およびデバイス特性蓄積手段１６は、ハードディスク１３０で構成され、ネットワークインタフェース部１３は通信制御部１４０で構成される。
【００５０】
なお、図１３は、本実施の形態の色校正プログラムを実行するコンピュータの概略構成を示すブロック図であり、１５０はバスラインである。
前記色校正プログラム１２１は、例えば、フロッピーディスク、ＣＤ−ＲＯＭ、光磁気ディスク等の記録媒体により提供されメモリ１２０に格納される。
【００５１】
以上、本発明者によってなされた発明を、前記実施の形態に基づき具体的に説明したが、本発明は、前記実施の形態に限定されるものではなく、その要旨を逸脱しない範囲において種々変更可能であることは勿論である。
【００５２】
【発明の効果】
本願において開示される発明のうち代表的なものによって得られる効果を簡単に説明すれば、下記の通りである。
【００５３】
本発明によれば、色校正装置をサーバ装置として実現することにより、誰でも簡単に色校正を行うことが可能となる。
【図面の簡単な説明】
【図１】本発明の実施の形態の色校正装置が適用されるシステムの一例の概略構成を示すブロック図である。
【図２】本実施の形態の色校正装置の概略内部構成を示すブロック図である。
【図３】基準色データ蓄積手段に蓄積されるＲＧＢ対応の数値情報の一例を示す図である。
【図４】ＣＲＴに表示された基準色の様子、あるいは、プリンタから出力された基準色の様子を示す図である。
【図５】本実施の形態のデバイス特性作成手段における演算の一例を説明するための図である。
【図６】本実施の形態の変換テーブル作成手段により作成される変換テーブルの一例を示す図である。
【図７】本実施の形態のデバイス特性手段により作成される変換テーブルを説明するための図である。
【図８】図１に示すシステムにおける色校正時の処理の流れを示す図である。
【図９】本実施の形態の色校正装置の処理手順を示すフローチャートである。
【図１０】本実施の形態の色校正装置の処理手順を示すフローチャートである。
【図１１】本実施の形態の色校正装置の処理手順を示すフローチャートである。
【図１２】本発明の実施の形態の色校正装置が適用されるシステムの他の例の概略構成を示すブロック図である。
【図１３】本実施の形態の色校正プログラムを実行するコンピュータの概略構成を示すブロック図である。
【符号の説明】
１０…色校正装置、１１…基準色データ蓄積手段、１２…基準色データ変換手段、１３…ネットワークインタフェース部、１４…測色データ変換手段、１５…デバイス特性作成手段、１６…デバイス特性蓄積手段、１７…デバイス特性合成変換テーブル作成手段、１８…変換テーブル作成手段、２０ａ，２０ｂ…プリンタ、３０…スキャナー、４０ａ〜４０ｎ…パーソナルコンピュータ、４１…ＣＲＴ、４２…短冊状に表示された基準色、４３…プリンタ（２０ａ，２０ｂ）から出力されたプリント用紙、４４…プリント用紙４３に格子状に印刷された基準色、５０…ＬＡＮ（あるいはＷＡＮ）、５０ａ，５０ｂ…ＬＡＮ、６０ａ，６０ｂ…ルータ、７０…ネットワーク、１１０…中央処理装置（ＣＰＵ）、１２０…メモリ、１２１…色校正プログラム、１３０…ハードディスク、１４０…通信制御部、１５０…バスライン。
【図１】
0004002006.tif 000004
【図２】
0004002006.tif 000005
【図３】
0004002006.tif 000006
【図４】
0004002006.tif 000007
【図５】
0004002006.tif 000008
【図６】
0004002006.tif 000009
【図７】
0004002006.tif 000010
【図８】
0004002006.tif 000011
【図９】
0004002006.tif 000012
【図１０】
0004002006.tif 000013
【図１１】
0004002006.tif 000014
【図１２】
0004002006.tif 000015
【図１３】
0004002006.tif 000016